(57)【要約】      （修正有）【課題】毛布生地の起毛がファスナーに絡むことがない合わせ毛布を提供する。【解決手段】合わせ毛布は、一組の長辺と一組の短辺とを有する矩形の表側毛布生地１１と、一組の長辺と一組の短辺とを有し、表側毛布生地１１と比べて長辺方向に長い裏側毛布生地１２と、ヘム部１３と、衿テープと、ヘム部１３に備えられ、表側毛布生地１１と裏側毛布生地１２とを開閉可能に連結するファスナー２０と、表側毛布生地１１と裏側毛布生地１２の間に形成され、内部に掛布団を収納する布団収納部１７と、布団収納部１７の４隅と一組の長辺の略中心に備えられた布団結束紐とから概略構成される。【選択図】図２
0003146112.tif 000002
【実用新案登録請求の範囲】
【請求項１】
内部に掛布団を収納する布団収納部を備える表側毛布生地と裏側毛布生地とからなる合わせ毛布であって、
前記表側毛布生地と前記裏側毛布生地とに各々予め設けられたヘム部にファスナーを備えることを特徴とする合わせ毛布。
【請求項２】
前記布団収納部の少なくとも４隅に布団結束紐を備えることを特徴とする請求項１に記載の合わせ毛布。
【考案の詳細な説明】
【技術分野】
【０００１】  この考案は、掛布団と併用する毛布のうち、特に合わせ毛布に関するものである。
【背景技術】
【０００２】  従来より、毛布を掛布団と併用する方法として、就寝者と掛布団の間に毛布を使用することが一般的に行われている。これは、毛布が「縮絨・起毛を施して暖かな感触を有する（広辞苑第四版２５３２頁）」こと、また、毛布のドレープ性（就寝者の体型に対する追従性や密着性）により暖かい空気が逃げにくく、冷たい空気が入りにくいことから、快適な寝心地が得られるからである。【０００３】  しかしながら、就寝者の寝返りや就寝中の動作で、毛布と掛布団がずれてしまったり、掛布団の中で毛布が丸まってしまうことも多く、快適な寝心地が妨げられるばかりでなく、寝冷えによる風邪や体調を崩す原因となることがあった。【０００４】  また、例えば羽毛布団のように軽い掛布団の場合には、通常の掛布団に比べて寝返り等でずれ易いため、羽毛布団の上に毛布を重ねることがある。【０００５】  しかしながら、掛布団の上に毛布を重ねた使用方法では、毛布の心地よい肌触りやフィット感を得ることができなかった。【０００６】  このような、毛布と掛布団がずれてしまったり掛布団の中で毛布が丸まってしまう問題点や、掛布団の上に毛布を重ねることで毛布の心地よい肌触りやフィット感を得ることができない問題点を解決するために、例えば特許文献１には、毛布がずれないように掛布団と一体化する毛布が提案されている。【０００７】  また、特許文献２には、毛布生地を利用したふとんカバーが提案されている。また、特許文献３には、二枚重ねした毛布生地をファスナーで袋状にし、就寝者がその中に入る毛布が提案されている。
【特許文献１】  特開平８−１８７１５３号公報
【特許文献２】  実用新案登録第３０５５６３９号公報
【特許文献３】  実用新案登録第３０７２７６９号公報
【考案の開示】
【考案が解決しようとする課題】
【０００８】  しかしながら、このような特許文献１や特許文献２に開示される毛布では、ファスナーの開閉時に毛布生地の起毛がファスナーに絡んでしまうため、内部に掛布団を収納したり、内部から掛布団を取り出したりする際のファスナーの開け閉めが面倒であるという課題があった。【０００９】  また、特許文献１や特許文献２に開示される毛布を編み地で製造する際には、ファスナー縫い付け位置に伸び止め処理が必要となる。また、特許文献２の毛布は、高度な縫製技術を要し、縫製可能な工場が限られてくる。【００１０】  また、特許文献３に開示される毛布では、二枚重ねした毛布生地の中に就寝者が入った場合や毛布の中に掛布団を入れた場合のいずれにおいても、首周りでファスナーが当たってしまうため、毛布の快適な寝心地が得られないという課題もあった。【００１１】  さらに、特許文献３に開示される毛布で、二枚重ねした毛布生地の中に掛布団を入れた場合に、毛布の中で掛布団が片寄ってしまうという課題もあった。【００１２】  この考案は、毛布と掛布団がずれてしまったり掛布団の中で毛布が丸まってしまうことがなく、また、掛布団の上にも毛布が重なる構成としながら毛布の心地よい肌触りやフィット感を得ることができる合わせ毛布を提供することを目的とする。【００１３】  また、この考案は、上記の特許文献１乃至３の課題を解決する合わせ毛布を提供することを目的とする。
【課題を解決するための手段】
【００１４】  上述の課題を解決し、目的を達成するために、この考案の合わせ毛布は、請求項１の記載によると、内部に掛布団を収納する布団収納部を備える表側毛布生地と裏側毛布生地とからなる合わせ毛布であって、前記表側毛布生地と前記裏側毛布生地とに各々予め設けられたヘム部にファスナーを備えることを特徴とする。【００１５】  また、この考案の合わせ毛布は、請求項２の記載によると、前記布団収納部の少なくとも４隅に布団結束紐を備えることを特徴とする。
【考案の効果】
【００１６】  この考案により、毛布生地の起毛がファスナーに絡むことがなくなるので、内部に掛布団を収納したり、内部から掛布団を取り出したりする際のファスナーの開け閉めが容易な合わせ毛布を提供することが可能となる。【００１７】  また、この考案により、ファスナー縫い付け位置に別途の伸び止め処理を施す必要もなく、高度な縫製技術を要しないため、大量生産に向く合わせ毛布を提供することが可能となる。【００１８】  さらに、この考案により、掛毛布として単独で使用しても、外観上も機能上も毛布本来の良さを損なわない合わせ毛布を提供することが可能となる。【００１９】  さらにまた、この考案により、内部に収納した掛布団が片寄ることがない合わせ毛布を提供することが可能となる。
【考案を実施するための最良の形態】
【００２０】＜第１の実施の形態例＞
この考案の第１の実施の形態例を、図面を用いて以下に説明する。なお、この考案の実施の形態例で説明する素材や手段等はこれに限定されるものではなく、実用新案登録請求の範囲に記載した範囲を逸脱しない広範囲の実施形態を包含するものである。【００２１】  図１は、この考案の第１の実施の形態例における合わせ毛布の全体図である。図２は、合わせ毛布のヘム部とファスナーの一部断面斜視図である。【００２２】  図１、図２によると、この考案の第１の実施の形態例における合わせ毛布１０は、一組の長辺と一組の短辺とを有する矩形の表側毛布生地１１と、一組の長辺と一組の短辺とを有し、表側毛布生地１１と比べて長辺方向に長い裏側毛布生地１２と、ヘム部１３、１４、１５と、衿テープ１６と、ヘム部１３に備えられ、表側毛布生地１１と裏側毛布生地１２とを開閉可能に連結するファスナー２０と、表側毛布生地１１と裏側毛布生地１２の間に形成され、内部に掛布団を収納する布団収納部１７と、布団収納部１７の４隅と一組の長辺の略中心に備えられた布団結束紐１８とから概略構成される。【００２３】  表側毛布生地１１及び裏側毛布生地１２は、主に編み地を起毛したものが利用される。また、表側毛布生地１１及び裏側毛布生地１２は、綿、毛等の天然繊維、または、アクリル、ポリエステル、ナイロン等の合成繊維、またはそれらの混紡糸等で作られたタオル地、長毛、短毛、起毛無し等、どのような生地でも利用可能である。なお、もちろん、編み地以外の生地も利用可能である。【００２４】  ヘム部１３は、表側毛布生地１１の一組の長辺の一方の縁（図１における毛布１０紙面右側の縁）と、裏側毛布生地１２の一組の長辺の一方の縁を各々別個に、いわゆるヘム処理（縁処理）を予め施したものである。【００２５】  また、ヘム部１４は、表側毛布生地１１と裏側毛布生地１２の一組の長辺の他方の縁（図１における毛布１０紙面左側の縁）を縫い合わせた後に、ヘム処理を施したものである。また、ヘム部１５は、表側毛布生地１１と裏側毛布生地１２の一組の短編の一方の縁（図１における毛布１０紙面下側の縁）を縫い合わせた後に、ヘム処理を施したものである。【００２６】  このヘム処理には様々な方法があるが、この考案におけるヘム部１３、１４、１５のヘム処理は、例えぱ図２のように、帯状の生地を２つ折りにして毛布生地の縁を覆った状態で縫い付ける方法で行っている。なお、図２における１９は、ヘム部１３にファスナー２０を縫い付けた際の縫い目である。【００２７】  なお、この考案において、ヘム処理で使用する帯状の生地は、比較的伸びが少なく、起毛が薄い、もしくは無いものが好適である。【００２８】  また、衿テープ１６は、表側毛布生地１１と裏側毛布生地１２の一組の短編の他方の縁を縫い合わせた箇所に縫い付けた、縫い代処理や装飾のためのテープである。【００２９】  また、布団結束紐１８は、ヘム部に挟み込む、または縫い付けることで取り付けた、例えば２本一組の織り紐である。布団結束紐１８を取り付ける場所は、少なくとも布団収納部１７の４隅であり、必要に応じて、図１のように一組の長辺の略中心に設けると良い。【００３０】  また、ファスナー２０は、ファスナー・テープ２１に植え付けられた���歯２２が図示しないスライダーで開閉する一般的なファスナーである。この考案では、図２に示すとおり、表側毛布生地１１と裏側毛布生地１２の各々に設けられたヘム部１３にファスナー・テープ２１が縫い付けられることで、２枚の毛布生地が開閉可能に連結されている。【００３１】  次に、この考案の第１の実施の形態例における毛布１０の製造手順について説明する。なお、この縫製手順は、毛布１０を製造する一例を示すものであり、縫製可能な範囲で他の手順を採用しても良い。【００３２】  最初に、表側毛布生地１１と裏側毛布生地１２の一組の短編の他方の縁を縫い合わせて衿テープ１６を縫い付ける。【００３３】  次に、表側毛布生地１１の一組の長辺の一方の縁と裏側毛布生地１２の一組の長辺の一方の縁とに、連続してヘム処理を施してヘム部１３とし、その後、裏側毛布生地１２を衿幅分表側に折り返す。【００３４】  次に、表側のヘム部１３と裏側のヘム部１３にファスナー・テープ２１を各々縫い付ける。この結果、表側毛布生地１１と裏側毛布生地１２は、ファスナー２０で開閉可能に連結されることになる。【００３５】  次に、表側毛布生地１１と裏側毛布生地１２とを一組の短辺の一方の側で面合わせして縫い合わせ、ヘム処理を施してヘム部１５とする。【００３６】  最後に、表側毛布生地１１と裏側毛布生地１２とを一組の長辺の他方の側で面合わせして縫い合わせ、ヘム処理を施してヘム部１４とする。【００３７】  なお、布団結束紐１８は、上記の縫製手順のうちでヘム部への挟み込みや縫い付けが容易なところで適宜行えばよい。【００３８】  この縫製の結果、表側毛布生地１１と裏側毛布生地１２との間に、ヘム部１４、１５、裏側毛布生地１２を表側毛布生地１１の側へ折り返した箇所とファスナー２０で、布団収納部１７としての袋状の空間が形成される。この布団収納部１７に掛け布団を収納したり、掛布団を取り出したりする際には、ファスナー２０を開け閉めして行う。【００３９】  以上のようにして製造された、この考案の第１の実施の形態例の合わせ毛布１０は、図２のようにダブルヘムとなっている。このダブルヘム、即ち、２枚の毛布生地に各々予め設けたヘム部１３、にファスナー２０が縫い付けられているので、務歯２２が毛布生地の起毛に接触することがなくなり、ファスナー２０の開閉時に毛布生地の起毛が絡むことがない。【００４０】  また、表側毛布生地１１と裏側毛布生地１２は、各々予めヘム処理が施されてヘム部１３が設けられているため、ファスナー２０を縫い付けるための別途の伸び止め処理が不要になる。【００４１】  また、表側毛布生地１１と裏側毛布生地１２とに各々予めヘム処理を施すことによりファスナー付けが簡単になり、大量生産が容易となった。【００４２】  また、この考案では、布団収納部１７に布団結束紐１８を設けているので、内部に収納した掛布団が片寄ることがなくなる。【００４３】  なお、この考案の第１の実施の形態例の毛布は、通常の合わせ毛布と全く同じ外観を有し、また通常の合わせ毛布と同じく、どのような毛布生地でも利用することが可能であるため、掛布団を布団収納部に収納しない状態においては、通常の合わせ毛布と同様に使用できる。【００４４】  また、この考案の第１の実施の形態例の毛布の内部に掛布団を収納した際には、就寝者と掛布団との間に毛布を使用する通常の使用方法より、その内部に暖かな空気をたくさん確保できるために、より暖かい状態で就寝することができる、快適な睡眠を提供することが可能となった。【００４５】  以上のように、この考案により、従来の類似の毛布と比べて、ファスナーの開け閉めの際に毛布生地の起毛がファスナーに絡むことがない優れた合わせ毛布でありながら、高度な縫製技術を要することなく製造できる合わせ毛布の提供が可能となった。【００４６】＜第２の実施の形態例＞
以下に図３を用いて、この考案の第２の実施の形態例の合わせ毛布を説明する。【００４７】  図３は、この考案の第２の実施の形態例における合わせ毛布の全体図である。なお、第１の実施の形態例と同一又は同様となる構成には、同じ符号を付して詳細な説明は適宜省略する。【００４８】  図３によると、この考案の第２の実施の形態例における合わせ毛布１０は、一組の長辺と一組の短辺とを有する矩形の表側毛布生地１１及び裏側毛布生地１２と、ヘム部１３、１４、１５ａ、１５ｂと、ヘム部１３に備えられ、表側毛布生地１１と裏側毛布生地１２とを開閉可能に連結するファスナー２０と、表側毛布生地１１と裏側毛布生地１２の間に形成される、内部に掛布団を収納する布団収納部１７と、布団収納部１７の４隅と一組の長辺の略中心に備えられた布団結束紐１８とから概略構成される。【００４９】  ヘム部１３は、表側毛布生地１１の一組の長辺の一方の縁（図３における毛布１０紙面右側の縁）と、裏側毛布生地１２の一組の長辺の一方の縁を各々別個にヘム処理（縁処理）を予め施したものである。【００５０】  また、ヘム部１４、１５ａ、１５ｂは、表側毛布生地１１と裏側毛布生地１２の相対する縁を縫い合わせた後に、ヘム処理を施したものである。【００５１】  次に、この考案の第２の実施の形態例における合わせ毛布１０の製造手順について説明する。なお、この縫製手順は、合わせ毛布１０を製造する一例を示すものであり、縫製可能な範囲で他の手順を採用しても良い。【００５２】  最初に、表側毛布生地１１の一組の長辺の一方の縁と裏側毛布生地１２の一組の長辺の一方の縁とに、各々別個に予めヘム処理を施してヘム部１３とする。【００５３】  次に、表側毛布生地１１のヘム部１３と裏側毛布生地１２のヘム部１３にファスナー２０を縫い付ける。この結果、表側毛布生地１１と裏側毛布生地１２は、ファスナー２０で開閉可能に連結されることになる。【００５４】  次に、表側毛布生地１１と裏側毛布生地１２との相対する縁を各々面合わせして縫い合わせ、ヘム処理を施してヘム部１４、１５ａ、１５ｂとする。【００５５】  この縫製の結果、表側毛布生地１１と裏側毛布生地１２との間に、ヘム部１４、１５ａ、１５ｂとファスナー２０で、布団収納部１７としての袋状の空間が形成される。この布団収納部１７に掛け布団を収納したり、掛布団を取り出したりする際には、ファスナー２０を開け閉めして行う。【００５６】  以上のように構成された、この考案の第２の実施の形態例における合わせ毛布１０における効果は、上述した第１の実施の形態例と同様である。【００５７】  なお、上述した第１の実施の形態例及び第２の実施の形態例において、ダブルヘムとしてのヘム部１３は、表側毛布生地１１と裏側毛布生地１２の各々の一組の長辺の一方の縁に設けると説明したが、このダブルヘムの構成は、就寝者の首周りとなる一組の短編の他方の縁以外であれば、どこに設けても良い。【００５８】  また、上述した第１の実施の形態例及び第２の実施の形態例において、ファスナー２０は、ダブルヘムとしてのヘム部１３が設けられている箇所であれば、その全体に縫い付けても良いし一部に縫い付けても良い。また、ヘム部１３が就寝者の首周りとなる一組の短編の他方の縁以外の複数の縁に設けられている場合においては、その複数の縁に設けられたヘム部１３の全体、または一部にファスナー２０を縫い付けても良い。【００５９】  また、上述した第１の実施の形態例及び第２の実施の形態例において、布団結束紐１８を取り付ける場所は、少なくとも布団収納部１７の４隅と、必要に応じて一組の長辺の略中心に設けると説明したが、例えば、一組の短辺の略中心にも設けることや、長辺、短辺を問わずどこに何箇所でも設けても良いことは言うまでもない。【００６０】  なお、特許文献３には、ファスナーの両側にファスナーカバーを設ける構成が開示されているが、この考案のダブルヘムとしてのヘム部１３とは目的や構成、また縫製手順も全く異なり、この考案の進歩性を否定するものではない。この考案のダブルヘムは、ファスナーの開け閉めの際に毛布生地の起毛がファスナーに絡むことがないようにするためのものであるが、特許文献３の毛布はファスナーが就寝者に触らないようにするためのものである。即ち、特許文献３の毛布はファスナーを直接毛布に縫い付けているため、この考案の効果であるファスナーが毛布の起毛に接触することでファスナーが絡んでしまうことは何ら解決していない。【００６１】  また、この考案において、簡単な縫製とするために、予め毛布の縁をヘム処理する縫製手順について、特許文献３には示唆も開示もなく、当業者であっても容易に想達することは不可能である。
【図面の簡単な説明】
【００６２】
【図１】  第１の実施の形態例における合わせ毛布の全体図
【図２】  ヘム部とファスナーの一部断面斜視図
【図３】  第２の実施の形態例における合わせ毛布の全体図
【符号の説明】
【００６３】１０・・合わせ毛布、１１・・表側毛布生地、１２・・裏側毛布生地、１３、１４、１５、１５ａ、１５ｂ・・ヘム部、１６・・衿テープ、１７・・布団収納部、１８・・布団結束紐、１９・・縫い目、２０・・ファスナー、２１・・ファスナー・テープ、２２・・務歯
【図１】
0003146112.tif 000003
【図２】
0003146112.tif 000004
【図３】
0003146112.tif 000005